【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記負極は、負極集電体の一部に設けられた負極活物質層を含み、
前記負極活物質層が設けられていない第２領域における前記負極集電体の破断伸びδ２（％）は、前記負極活物質層が設けられている第１領域における前記負極集電体の破断伸びδ１（％）よりも大きい、
二次電池。
【請求項２】
前記第２領域における前記負極集電体の結晶粒径Ｄ２（μｍ）は、前記第１領域における前記負極集電体の結晶粒径Ｄ１（μｍ）よりも大きい、
請求項１記載の二次電池。
【請求項３】
前記負極集電体は渦巻状に巻回されており、
前記負極活物質層は、少なくとも、前記負極集電体の最外周の一部に設けられていない、
請求項１または請求項２に記載の二次電池。
【請求項４】
前記負極集電体は、銅（Ｃｕ）を構成元素として含む、
請求項１ないし請求項３のいずれか１項に記載の二次電池。
【請求項５】
前記負極活物質層は、負極活物質を含み、
前記負極活物質は、ケイ素（Ｓｉ）、スズ（Ｓｎ）およびゲルマニウム（Ｇｅ）のうちの少なくとも１種を構成元素として含む、
請求項１ないし請求項４のいずれか１項に記載の二次電池。
【請求項６】
前記破断伸びδ２は、前記破断伸びδ１よりも１％以上大きい、
請求項１ないし請求項５のいずれか１項に記載の二次電池。
【請求項７】
前記結晶粒径Ｄ２は、前記結晶粒径Ｄ１よりも３０％以上大きい、
請求項２ないし請求項６のいずれか１項に記載の二次電池。
【請求項８】
前記破断伸びδ２が前記破断伸びδ１よりも大きい前記負極集電体は、前記破断伸びδ１，δ２が互いに等しい前記負極集電体のうちの前記第１領域に前記負極活物質層が形成されたのち、その負極集電体のうちの前記第１領域および前記第２領域が加熱されたものである、
請求項１ないし請求項７のいずれか１項に記載の二次電池。
【請求項９】
前記負極集電体のうちの前記第１領域および前記第２領域は、ロール・トゥ・ロール方式により加熱されている、
請求項８記載の二次電池。
【請求項１０】
前記破断伸びδ２が前記破断伸びδ１よりも大きい前記負極集電体は、前記破断伸びδ１，δ２が互いに等しい前記負極集電体のうちの前記第２領域だけが加熱されたものである、
請求項１ないし請求項７のいずれか１項に記載の二次電池。
【請求項１１】
前記破断伸びδ２が前記破断伸びδ１よりも大きい前記負極集電体は、前記破断伸びδ１，δ２が互いに等しい前記負極集電体のうち、前記第２領域の加熱温度が前記第１領域の加熱温度よりも高くなるように前記第１領域および前記第２領域が加熱されたものである、
請求項１ないし請求項７のいずれか１項に記載の二次電池。
【請求項１２】
リチウム二次電池である、
請求項１ないし請求項１１のいずれか１項に記載の二次電池。
【請求項１３】
負極集電体の一部に負極活物質層を形成し、
前記負極活物質層が形成されていない第２領域および前記負極活物質層が形成されている第１領域のうち、少なくとも前記第２領域における前記負極集電体を加熱して、負極を形成する、
二次電池の製造方法。
【請求項１４】
二次電池と、
前記二次電池の使用状態を制御する制御部と、
前記制御部の指示に応じて前記二次電池の使用状態を切り換えるスイッチ部と
を備え、
前記二次電池は、正極および負極と共に電解液を備え、
前記負極は、負極集電体の一部に設けられた負極活物質層を含み、
前記負極活物質層が設けられていない第２領域における前記負極集電体の破断伸びδ２（％）は、前記負極活物質層が設けられている第１領域における前記負極集電体の破断伸びδ１（％）よりも大きい、
電池パック。
【請求項１５】
二次電池と、
前記二次電池から供給された電力を駆動力に変換する変換部と、
前記駆動力に応じて駆動する駆動部と、
前記二次電池の使用状態を制御する制御部と
を備え、
前記二次電池は、正極および負極と共に電解液を備え、
前記負極は、負極集電体の一部に設けられた負極活物質層を含み、
前記負極活物質層が設けられていない第２領域における前記負極集電体の破断伸びδ２（％）は、前記負極活物質層が設けられている第１領域における前記負極集電体の破断伸びδ１（％）よりも大きい、
電動車両。
【手続補正２】
【補正対象書類名】明細書
【補正対象項目名】０００１
【補正方法】変更
【補正の内容】
【０００１】
本技術は、負極集電体の一部に負極活物質層が設けられた負極を備えた二次電池およびその製造方法、ならびにその二次電池を用いた電池パックおよび電動車両に関する。
【手続補正３】
【補正対象書類名】明細書
【補正対象項目名】００１４
【補正方法】変更
【補正の内容】
【００１４】
本技術の二次電池によれば、負極集電体において破断伸びδ２が破断伸びδ１よりも大きいので、負極の破損を抑制できる。また、本技術の二次電池の製造方法によれば、負極集電体の一部に負極活物質層を形成したのち、少なくとも第２領域の負極集電体を加熱しているので、負極の破損を抑制できる。さらに、本技術の二次電池を用いた電池パックまたは電動車両でも同様の効果を得ることができる。
【手続補正４】
【補正対象書類名】明細書
【補正対象項目名】００２１
【補正方法】変更
【補正の内容】
【００２１】
ここでは、例えば、集電体１は、所定の方向（図１中の横方向＝長手方向）に延在する細長い形状（帯状）を有しており、活物質層２は、長手方向における集電体１の中央領域に設けられている。これに伴い、集電体１は、一端部および他端部に位置する２つの非活物質層形成部分１Ｂと、その２つの非活物質層形成部分１Ｂにより挟まれた１つの活物質層形成部分１Ａとを含んでいる。
【手続補正５】
【補正対象書類名】明細書
【補正対象項目名】００６２
【補正方法】変更
【補正の内容】
【００６２】
続いて、複数の活物質層２が形成された集電体１（以下、「集電体１等」という。）のうち、少なくとも非活物質層形成部分１Ｂを加熱処理する。この場合には、例えば、集電体１等の巻回体を巻出ローラ１０２に装着したのち、その巻出ローラ１０２と共に巻取ローラ１０３を回転させることで、巻出ローラ１０２から送り出された集電体１等を巻取ローラ１０３で巻き取る。このように集電体１等を搬送させながら、その集電体１等に対して加熱源１０１から連続的に熱Ｈを照射する。
【手続補正６】
【補正対象書類名】明細書
【補正対象項目名】００８０
【補正方法】変更
【補正の内容】
【００８０】
電池缶１１の開放端部には、電池蓋１４、安全弁機構１５および熱感抵抗素子（ＰＴＣ素子）１６がガスケット１７を介してかしめられているため、その電池缶１１は密閉されている。電池蓋１４は、例えば、電池缶１１と同様の材料により形成されている。安全弁機構１５および熱感抵抗素子１６は、電池蓋１４の内側に設けられており、その安全弁機構１５は、熱感抵抗素子１６を介して電池蓋１４と電気的に接続されている。この安全弁機構１５では、内部短絡、または外部からの加熱などに起因して内圧が一定以上になると、ディスク板１５Ａが反転して電池蓋１４と巻回電極体２０との電気的接続を切断するようになっている。熱感抵抗素子１６は、大電流に起因する異常な発熱を防止するものであり、その熱感抵抗素子１６の抵抗は、温度の上昇に応じて増加するようになっている。ガスケット１７は、例えば、絶縁材料により形成されており、その表面にアスファルトが塗布されていてもよい。
【手続補正７】
【補正対象書類名】明細書
【補正対象項目名】０１８２
【補正方法】変更
【補正の内容】
【０１８２】
なお、本技術は以下のような構成を取ることも可能である。
（１）
正極および負極と共に電解液を備え、
前記負極は、負極集電体の一部に設けられた負極活物質層を含み、
前記負極活物質層が設けられていない第２領域における前記負極集電体の破断伸びδ２（％）は、前記負極活物質層が設けられている第１領域における前記負極集電体の破断伸びδ１（％）よりも大きい、
二次電池。
（２）
前記第２領域における前記負極集電体の結晶粒径Ｄ２（μｍ）は、前記第１領域における前記負極集電体の結晶粒径Ｄ１（μｍ）よりも大きい、
上記（１）に記載の二次電池。
（３）
前記負極集電体は渦巻状に巻回されており、
前記負極活物質層は、少なくとも、前記負極集電体の最外周の一部に設けられていない、
上記（１）または（２）に記載の二次電池。
（４）
前記負極集電体は、銅（Ｃｕ）を構成元素として含む、
上記（１）ないし（３）のいずれかに記載の二次電池。
（５）
前記負極活物質層は、負極活物質を含み、
前記負極活物質は、ケイ素（Ｓｉ）、スズ（Ｓｎ）およびゲルマニウム（Ｇｅ）のうちの少なくとも１種を構成元素として含む、
上記（１）ないし（４）のいずれかに記載の二次電池。
（６）
前記破断伸びδ２は、前記破断伸びδ１よりも１％以上大きい、
上記（１）ないし（５）のいずれかに記載の二次電池。
（７）
前記結晶粒径Ｄ２は、前記結晶粒径Ｄ１よりも３０％以上大きい、
上記（２）ないし（６）のいずれかに記載の二次電池。
（８）
前記破断伸びδ２が前記破断伸びδ１よりも大きい前記負極集電体は、前記破断伸びδ１，δ２が互いに等しい前記負極集電体のうちの前記第１領域に前記負極活物質層が形成されたのち、その負極集電体のうちの前記第１領域および前記第２領域が加熱されたものである、
上記（１）ないし（７）のいずれかに記載の二次電池。
（９）
前記負極集電体のうちの前記第１領域および前記第２領域は、ロール・トゥ・ロール方式により加熱されている、
上記（８）に記載の二次電池。
（１０）
前記破断伸びδ２が前記破断伸びδ１よりも大きい前記負極集電体は、前記破断伸びδ１，δ２が互いに等しい前記負極集電体のうちの前記第２領域だけが加熱されたものである、
上記（１）ないし（７）のいずれかに記載の二次電池。
（１１）
前記破断伸びδ２が前記破断伸びδ１よりも大きい前記負極集電体は、前記破断伸びδ１，δ２が互いに等しい前記負極集電体のうち、前記第２領域の加熱温度が前記第１領域の加熱温度よりも高くなるように前記第１領域および前記第２領域が加熱されたものである、
上記（１）ないし（７）のいずれかに記載の二次電池。
（１２）
リチウム二次電池である、
上記（１）ないし（１１）のいずれかに記載の二次電池。
（１３）
負極集電体の一部に負極活物質層を形成し、
前記負極活物質層が形成されていない第２領域および前記負極活物質層が形成されている第１領域のうち、少なくとも前記第２領域における前記負極集電体を加熱して、負極を形成する、
二次電池の製造方法。
（１４）
上記（１）ないし（１２）のいずれかに記載の二次電池と、
前記二次電池の使用状態を制御する制御部と、
前記制御部の指示に応じて前記二次電池の使用状態を切り換えるスイッチ部と
を備えた、電池パック。
（１５）
上記（１）ないし（１２）のいずれかに記載の二次電池と、
前記二次電池から供給された電力を駆動力に変換する変換部と、
前記駆動力に応じて駆動する駆動部と、
前記二次電池の使用状態を制御する制御部と
を備えた、電動車両。